(57)【要約】【課題】複数の端子を位置決めするための作業工程数の低減を図り、アライメント部材が複数の端子に誤って取み付けられることを防止する。【解決手段】コネクタハウジング１１は、複数の端子５のプリント基板に接続される側の部分を収容する基板側端子収容部１２と、複数の端子５の相手側端子に接続される側の部分を収容する相手側端子収容部１３と、基板側端子収容部１２と相手側端子収容部１３との間に形成されて、アライメント部材２１がスライド可能なスライド溝１４とを有する。アライメント部材２１は、コネクタハウジング１１が収容する複数の端子５が貫通可能な複数の貫通孔２２を有する。アライメント部材２１は、複数の貫通孔２２に複数の端子５を貫通させた状態で、スライド溝１４を基板側端子収容部１２側にスライドすることにより、プリント基板に形成された複数の孔に対応して複数の端子５をそれぞれ所定の位置に位置決めする。【選択図】図１
2013004353.tif 000002
【特許請求の範囲】
【請求項１】
一側がプリント基板に接続され、他側が相手側端子に接続される複数の端子を収容するコネクタハウジングと、このコネクタハウジングに収容された複数の端子を前記プリント基板に対して位置決めするアライメント部材とを有し、前記複数の端子が位置決めされた状態で前記プリント基板に形成された複数の孔にそれぞれ挿通されるプリント基板用コネクタであって、
前記コネクタハウジングは、前記複数の端子の前記プリント基板に接続される側の部分を収容する基板側端子収容部と、
前記複数の端子の前記相手側端子に接続される側の部分を収容する相手側端子収容部と、
前記基板側端子収容部と前記相手側端子収容部との間に形成されて、前記アライメント部材がスライド可能なスライド溝と、を有し、
前記アライメント部材は、前記コネクタハウジングが収容する前記複数の端子が貫通可能な複数の貫通孔を有し、
前記アライメント部材は、前記複数の貫通孔に前記複数の端子を貫通させた状態で、前記スライド溝を前記基板側端子収容部側にスライドすることにより、前記プリント基板に形成された複数の孔に対応して前記複数の端子をそれぞれ所定の位置に位置決めすることを特徴とするプリント基板用コネクタ。
【請求項２】
請求項１に記載のプリント基板用コネクタにおいて、
前記アライメント部材が前記基板側端子収容部へ前記スライド溝をスライドしたときに、前記基板側端子収容部と前記アライメント部材とを係止する係止部を更に有していることを特徴とするプリント基板用コネクタ。
【請求項３】
請求項１又は請求項２に記載のプリント基板用コネクタにおいて、
前記アライメント部材が前記相手側端子収容部側に位置するときに、前記アライメント部材の前記基板側端子収容部側への移動を規制する規制部を更に有していることを特徴とするプリント基板用コネクタ。
【請求項４】
請求項１から請求項３のいずれか一項に記載のプリント基板用コネクタにおいて、
前記コネクタハウジングは、前記基板側端子収容部と前記相手側端子収容部との間に開口部を有し、
前記アライメント部材は、該アライメント部材が前記スライド溝をスライドする間、前記開口部に位置して前記アライメント部材をスライド操作する操作部を更に有することを特徴とするプリント基板用コネクタ。
【発明の詳細な説明】
【技術分野】
【０００１】
本発明は、プリント基板上の所定の位置に装着されるプリント基板用のコネクタに関する。
【背景技術】
【０００２】
従来から、プリント基板上に形成されたスルーホールに挿通するための端子を収容するプリント基板用のコネクタとして、例えば、特開２００９−１０４９６１号公報（特許文献１）に記載されたプリント基板用コネクタが提案されている。
【０００３】
このプリント基板用コネクタは、一側がプリント基板に接続され、他側が相手側端子に接続される複数の端子を収容するケースと、このケースに収容された複数の端子をそれぞれ挿通する複数の開口部を有するアライニングプレートとを有している。
【０００４】
そして、ケースに複数の端子を収容した状態で、アライニングプレートのそれぞれの開口部から複数の端子を所定の位置まで挿通することにより複数の端子をアライニングプレートに組付け、複数の端子をプリント基板に形成されたスルーホールの配列に対応させるように位置決めしている。
【先行技術文献】
【特許文献】
【０００５】
【特許文献１】特開２００９−１０４９６１号公報
【発明の概要】
【発明が解決しようとする課題】
【０００６】
ところで、上述したプリント基板用コネクタでは、ケースに複数の端子を収容する作業と、アライニングプレートの開口部に複数の端子を挿通する作業が必要であるため、これらの作業工程数を低減したいという要望があった。
【０００７】
また、端子の大きさや端子同士の間隔が異なる場合に、これに対応して形成された開口部にケースに収容された端子を挿通しなければならず、端子に対してアライニングプレートを組み付ける方向を誤ると、端子が曲がりプリント基板に形成されたスルーホールに装着することができないという問題が発生する。
【０００８】
そこで、本発明は、複数の端子を位置決めするための作業工程数の低減を図り、アライメント部材が複数の端子に誤って取み付けられることを防止するプリント基板用コネクタを提供することを目的とする。
【課題を解決するための手段】
【０００９】
上記目的を達成するため、本願請求項１に記載した本発明のプリント基板用コネクタは、一側がプリント基板に接続され、他側が相手側端子に接続される複数の端子を収容するコネクタハウジングと、このコネクタハウジングに収容された複数の端子を前記プリント基板に対して位置決めするアライメント部材とを有し、前記複数の端子が位置決めされた状態で前記プリント基板に形成された複数の孔にそれぞれ挿通されるプリント基板用コネクタであって、前記コネクタハウジングは、前記複数の端子の前記プリント基板に接続される側の部分を収容する基板側端子収容部と、前記複数の端子の前記相手側端子に接続される側の部分を収容する相手側端子収容部と、前記基板側端子収容部と前記相手側端子収容部との間に形成されて、前記アライメント部材がスライド可能なスライド溝と、を有し、前記アライメント部材は、前記コネクタハウジングが収容する前記複数の端子が貫通可能な複数の貫通孔を有し、前記アライメント部材は、前記複数の貫通孔に前記複数の端子を貫通させた状態で、前記スライド溝を前記基板側端子収容部側にスライドすることにより、前記プリント基板に形成された複数の孔に対応して前記複数の端子をそれぞれ所定の位置に位置決めすることを特徴とする。
【００１０】
請求項２に記載した本発明のプリント基板用コネクタは、請求項１に記載のプリント基板用コネクタにおいて、前記アライメント部材が前記基板側端子収容部へ前記スライド溝をスライドしたときに、前記基板側端子収容部と前記アライメント部材とを係止する係止部を更に有していることを特徴とする。
【００１１】
請求項３に記載した本発明のプリント基板用コネクタは、請求項１又は請求項２に記載のプリント基板用コネクタにおいて、前記アライメント部材が前記相手側端子収容部側に位置するときに、前記アライメント部材の前記基板側端子収容部側への移動を規制する規制部を更に有していることを特徴とする。
【００１２】
請求項４に記載した本発明のプリント基板用コネクタは、請求項１から請求項３のいずれか一項に記載のプリント基板用コネクタにおいて、前記コネクタハウジングは、前記基板側端子収容部と前記相手側端子収容部との間に開口部を有し、前記アライメント部材は、該アライメント部材が前記スライド溝をスライドする間、前記開口部に位置して前記アライメント部材をスライド操作する操作部を更に有することを特徴とする。
【発明の効果】
【００１３】
請求項１に記載した本発明のプリント基板用コネクタによれば、アライメント部材は、複数の貫通孔に複数の端子を貫通させた状態で、基板側端子収容部側にスライドすることにより、プリント基板に形成された複数の孔に対応して複数の端子をそれぞれ所定の位置に位置決めする。このため、コネクタハウジングに複数の端子を収容した後にアライメント部材の貫通孔に複数の端子を貫通する作業が不要となり、作業工程数を低減することができる。
【００１４】
また、コネクタハウジングに複数の端子を収容した後にアライメント部材の貫通孔に複数の端子を貫通する作業が不要となるため、アライメント部材が複数の端子に対して誤って取り付けられることを防止することができる。
【００１５】
従って、複数の端子を位置決めするための作業工程数の低減を図り、アライメント部材が複数の端子に誤って取み付けられることを防止するプリント基板用コネクタを提供することができる。
【００１６】
請求項２に記載した本発明のプリント基板用コネクタによれば、アライメント部材が基板側端子収容部へスライドしたときに、基板側端子収容部とアライメント部材とを係止する係止部を有している。このため、アライメント部材が相手側端子収容部側に移動することがなく、位置決めされた複数の端子の位置がずれることを防止することができる。
【００１７】
請求項３に記載した本発明のプリント基板用コネクタによれば、アライメント部材が相手側端子収容部側に位置するときに、アライメント部材の基板側端子収容部側への移動を規制する規制部を有している。このため、相手側端子収容部側から複数の端子を挿入してアライメント部材の貫通孔に貫通させる際に、アライメント部材が基板側端子収容部側へ移動することを規制することができる。
【００１８】
請求項４に記載した本発明のプリント基板用コネクタによれば、アライメント部材をスライド操作する操作部は、アライメント部材がスライド溝をスライドする間、コネクタハウジングの開口部に位置する。このため、操作部がコネクタハウジングに干渉することなく、操作部を操作することにより容易にアライメント部材をスライドさせることができる。
【図面の簡単な説明】
【００１９】
【図１】本発明の実施形態に係るプリント基板用コネクタを示す斜視図である。
【図２】本発明の実施形態に係るアライメント部材を示す斜視図である。
【図３】本発明の実施形態に係るアライメント部材の係止突起と突部を示す断面図である。
【図４】本発明の実施形態に係るアライメント部材をコネクタハウジングに装着する前の状態を示す斜視図である。
【図５】本発明の実施形態に係るアライメント部材を相手側端子収容部側へ位置した状態を示す斜視図である。
【図６】本発明の実施形態に係るコネクタハウジングに複数の端子を収容した状態を示す斜視図である。
【図７】本発明の実施形態に係るアライメント部材を基板側端子収容部側へスライドした状態を示す斜視図である。
【発明を実施するための形態】
【００２０】
以下、本発明の実施形態に係るプリント基板用コネクタについて図面を参照して説明する。はじめに、図１から図３を参照して、本発明の実施形態に係るプリント基板用コネクタについて説明する。
【００２１】
図１は、本発明の実施形態に係るプリント基板用コネクタを示す斜視図である。図２（ａ）は、本発明の実施形態に係るアライメント部材を示す斜視図である。図２（ｂ）は、本発明の実施形態に係るアライメント部材の面取り部を示す斜視図である。図３は、本発明の実施形態に係るアライメント部材の係止突起と突部を示す断面図である。
【００２２】
本発明の実施形態に係るプリント基板用コネクタは、プリント基板上に形成された複数の孔に対応して複数の端子を位置決めするアライメント部材を有するプリント基板用のコネクタである。
【００２３】
図１に示すように、本発明の実施形態に係るプリント基板用コネクタ１は、一側がプリント基板（図示省略）に接続され、他側が相手側端子（雌端子、図示省略）に接続される複数の端子５を収容するコネクタハウジング１１と、このコネクタハウジング１１に収容された複数の端子５をプリント基板に対して位置決めするアライメント部材２１とから略構成されている。
【００２４】
端子５は、後述する基板側端子収容部１２に収容される基板側端子（プリント基板に接続される側の部分）５ａと、後述する相手側端子収容部１３に収容される相手側端子（相手側端子（雌端子）に接続される側の部分）５ｂとを有している。
【００２５】
そして、基板側端子５ａの先端は、プリント基板（図示省略）に接続され、相手側端子の５ｂの先端は、雌端子（図示省略）に接続される。
【００２６】
コネクタハウジング１１は、複数の端子５の基板側端子５ａを収容する基板側端子収容部１２と、複数の端子５の相手側端子５ｂを収容する相手側端子収容部１３と、アライメント部材２１がスライド可能なスライド溝１４（後述する図４参照）と、後述するアライメント部材２１の操作部２３が位置する開口部１５（後述する図４参照）とを有している。
【００２７】
基板側端子収容部１２は、複数の端子５のプリント基板に接続される側の部分（基板側端子５ａ）を収容し、後述するアライメント部材２１の一対の係止突起部（係止部、一側省略）２４が係止可能な一対の係止孔１６（係止部、一側省略）を有している。
【００２８】
この一対の係止孔１６（係止部、一側省略）は、アライメント部材２１が基板側端子収容部１２側に位置（図１に示す位置）するときに、アライメント部材２１の係止突起部２４が係止可能な位置に形成されている。
【００２９】
相手側端子収容部１３は、複数の端子５の相手側端子に接続される側の部分（相手側端子５ｂ）を収容し、後述するアライメント部材２１の一対の２つの突起部（規制部、一側省略）２５が当接可能な一対の２つの凹部１７（規制部、後述する図３（ａ）参照、一側省略）を有している。
【００３０】
この一対の２つの凹部１７（規制部、後述する図３（ａ）参照、一側省略）は、アライメント部材２１が相手側端子収容部１３側に位置するときに（後述する図５に示す位置）、アライメント部材の突部２５（後述する図３（ａ）参照）と当接可能な位置に形成されている。
【００３１】
スライド溝１４（後述する図４参照）は、基板側端子収容部１２と相手側端子収容部１３との間に形成されている。このスライド溝１４は、アライメント部材２１が相手側端子収容部１３側（後述する図５に示す位置）から基板側端子収容部１２側（図１に示す位置）へスライド可能に形成されている。
【００３２】
開口部１５は、基板側端子収容部１２と相手側端子収容部１３との間に形成されており、アライメント部材２１がスライド溝１３をスライドする間、後述するアライメント部材２１の操作部２３が位置する。
【００３３】
アライメント部材２１は、図２（ａ）及び図２（ｂ）に示すように、コネクタハウジング１１が収容する複数の端子５（図１参照）が貫通可能な複数の貫通孔２２と、アライメント部材２１をスライド操作する操作部２３とを有している。
【００３４】
また、アライメント部材２１は、基板側端子収容部１２の一対の係止孔１６（係止部、図１及び図３（ｂ）参照、一側省略）と係止可能な一対の係止突起部（係止部、一側省略）２４と、相手側端子収容部１３の一対の凹部１７（規制部、図３（ａ）参照、一側省略）と当接可能な一対の２つの突部（規制部、一側省略）２５とを有している。
【００３５】
複数の貫通孔２２の周縁には、複数の端子５（図１参照）を貫通孔２２に挿入する際に、端子５の先端を貫通孔２２へ誘導するための面取り部２６が形成されている。そして、面取り部２６により貫通孔２２へ誘導された複数の端子５は貫通孔２２を貫通する。
【００３６】
このように、複数の貫通孔２２の周縁には、面取り部２６が形成されているため、複数の端子５（図１参照）を貫通孔に挿入する際に、複数の端子５を挿入し易くすることができる。
【００３７】
操作部２３は、アライメント部材２１がコネクタハウジング１１のスライド溝１４（後述する図４参照）をスライドする間、コネクタハウジング１１の開口部（後述する図４参照）に位置してアライメント部材２１をスライド操作する。
【００３８】
このように、アライメント部材２１をスライド操作する操作部２３は、アライメント部材２１がスライド溝１４をスライドする間、コネクタハウジング１１の開口部１５に位置する。このため、操作部２３がコネクタハウジング１１に干渉することなく、操作部２３を操作することにより容易にアライメント部材２１をスライドさせることができる。
【００３９】
一対の係止突起部（係止部）２４は、アライメント部材２１が基板側端子収容部１２へスライド溝（後述する図４参照）をスライドしたときに、基板側端子収容部１２の係止孔１６に係止する（係止部、図３（ｂ）参照）。
【００４０】
一対の２つの突部（規制部）２５は、アライメント部材２１が相手側端子収容部１３側に位置するときに、相手側端子収容部１３の凹部と当接することにより（規制部、図３（ａ）参照）、アライメント部材２１の基板側端子収容部１２側への移動を規制する。
【００４１】
次に、本発明の実施形態に係るプリント基板用コネクタのアライメント部材のスライド操作について詳細に説明する。図４は、本発明の実施形態に係るアライメント部材をコネクタハウジングに装着する前の状態を示す斜視図である。図５は、本発明の実施形態に係るアライメント部材を相手側端子収容部側へ位置した状態を示す斜視図である。
【００４２】
また、図６は、本発明の実施形態に係るコネクタハウジングに複数の端子を収容した状態を示す斜視図である。図７は、本発明の実施形態に係るアライメント部材を基板側端子収容部側へスライドした状態を示す斜視図である。
【００４３】
複数の端子５（図１参照）をプリント基板（図示省略）に対して位置決めする際、はじめに、図４に示すように、アライメント部材２１を矢印Ａ方向に移動してアライメント部材２１をコネクタハウジング１１へ装着する。
【００４４】
つまり、アライメント部材２１を矢印Ａ方向に移動して、アライメント部材２１をコネクタハウジング１１のスライド溝１４に対してスライド可能に装着する。
【００４５】
次に、図５に示すように、スライド溝１４に装着したアライメント部材２１を、矢印Ｂ方向へ移動し、相手側端子収容部１３側のスライド溝１４へ移動する。
【００４６】
このとき、相手側端子収容部１３の凹部１７（図３（ｂ）参照）に、アライメント部材２１の突部２５（図３（ｂ）参照）が当接するまで移動して、アライメント部材２１を相手側端子収容部１３側に位置させる。
【００４７】
次に、図６に示すように、アライメント部材２１を相手側端子収容部１３側のスライド溝１４に位置する状態（図５に示す状態）で、相手側端子収容部１３側から複数の端子５をコネクタハウジング１１へ挿入する。
【００４８】
コネクタハウジング１１へ複数の端子５を挿入すると、アライメント部材２１は相手側端子収容部１３側のスライド溝１４（図５参照）に位置しているため、アライメント部材２１の貫通孔２２（図４参照）に複数の端子５が貫通する。
【００４９】
このように、アライメント部材２１が相手側端子収容部１３側のスライド溝１４（図５参照）に位置した状態で、複数の端子５をコネクタハウジング１１へ挿入するため、アライメント部材２１とコネクタハウジング１１の両方に同時に複数の端子５を挿入することができる。
【００５０】
また、複数の端子５がアライメント部材２１の貫通孔２２（図４参照）を貫通する際、相手側端子収容部１３の一対の２つの凹部１７（図３（ａ）参照）にアライメント部材２１の一対の２つの突部２５（図３（ａ）参照）が当接しているため、アライメント部材２１は、複数の端子５が貫通孔２２を貫通する際に基板側端子収容部１２側への移動が規制される。
【００５１】
このように、アライメント部材２１が相手側端子収容部１３側に位置するときに、アライメント部材２１の基板側端子収容部１２側への移動を規制する規制部（凹部１７、突部２５）を有している。このため、相手側端子収容部１３側から複数の端子５を挿入してアライメント部材２１の貫通孔２２に貫通させる際に、アライメント部材２１が基板側端子収容部１２側へ移動することを規制することができる。
【００５２】
また、複数の端子５がアライメント部材２１の貫通孔２２（図４参照）を貫通する際、複数の端子５の挿入力によって、アライメント部材２１が基板側端子収容部１２側へ移動することがないため、複数の端子５をアライメント部材２１の貫通孔２２に確実に貫通させることができる。また、貫通作業を容易にすることができる。
【００５３】
そして、図７に示すように、複数の貫通孔２２に複数の端子５を貫通させた状態で、アライメント部材２１を矢印Ｃ方向に移動することにより、アライメント部材２１をスライド溝１４の基板側端子収容部１２側にスライドする。
【００５４】
アライメント部材２１を基板側端子収容部１２側にスライドする際、操作部２３をスライド操作することにより、当接している相手側端子収容部１３の一対の２つの凹部１７（図３（ａ）参照）とアライメント部材２１の一対の２つの突部２５（図３（ａ）参照）の当接を解除して、アライメント部材２１を矢印Ｃ方向に移動する。
【００５５】
操作部２３は、アライメント部材をスライド操作する際、コネクタハウジングの開口部１５に位置するため、操作部２３がコネクタハウジング１１に干渉することなく、操作部２３を操作することにより容易にアライメント部材２１をスライドさせることができる。
【００５６】
アライメント部材２１をスライド溝１４の基板側端子収容部１２側にスライドする際、基板側端子収容部１２の一対の係止孔１６にアライメント部材２１の係止突起部２４が係止するまでスライドする。
【００５７】
そして、基板側端子収容部１２の一対の係止孔１６にアライメント部材２１の係止突起部２４が係止すると、アライメント部材２１がプリント基板（図示省略）に形成された複数の孔（図示省略）に対応して複数の端子５をそれぞれ所定の位置に位置決めする。
【００５８】
このように、アライメント部材２１をスライド溝１４の基板側端子収容部１２側にスライドすることにより、複数の端子５をそれぞれ所定の位置に位置決めするため、複数の端子５にアライメント部材２１を容易に組み付けることができる。
【００５９】
また、アライメント部材２１が基板側端子収容部１２へスライドしたときに、基板側端子収容部１２とアライメント部材２１とを係止する係止部（係止孔１６、係止突起部２４）を有している。このため、アライメント部材２１が相手側端子収容部１３側に移動することがなく、位置決めされた複数の端子５の位置がずれることを防止することができる。
【００６０】
そして、上記のように、アライメント部材２１により、それぞれ所定の位置に位置決めされた複数の端子５は、位置決めされた状態でプリント基板（図示省略）に形成された複数の孔（図示省略）にそれぞれ挿通される。
【００６１】
上述したように、アライメント部材２１は、複数の貫通孔２２に複数の端子５を貫通させた状態で、基板側端子収容部１２側にスライドすることにより、プリント基板に形成された複数の孔に対応して複数の端子５をそれぞれ所定の位置に位置決めする。
【００６２】
このため、コネクタハウジング１１に複数の端子５を収容した後にアライメント部材２１の貫通孔２２に複数の端子５を貫通する作業が不要となり、作業工程数を低減することができる。
【００６３】
また、コネクタハウジング１１に複数の端子５を収容した後にアライメント部材２１の貫通孔２２に複数の端子５を貫通する作業が不要となるため、アライメント部材２１が複数の端子５に対して誤って取り付けられることを防止することができる。
【００６４】
このようにして、本発明の実施形態に係るプリント基板用コネクタ１は、一側がプリント基板に接続され、他側が相手側端子に接続される複数の端子を収容するコネクタハウジング１１と、このコネクタハウジング１１に収容された複数の端子５をプリント基板に対して位置決めするアライメント部材２１とを有し、複数の端子５が位置決めされた状態でプリント基板に形成された複数の孔にそれぞれ挿通されるプリント基板用コネクタ１であって、コネクタハウジング１１は、複数の端子５のプリント基板に接続される側の部分を収容する基板側端子収容部１２と、複数の端子５の相手側端子に接続される側の部分を収容する相手側端子収容部１３と、基板側端子収容部１２と相手側端子収容部１３との間に形成されて、アライメント部材２１がスライド可能なスライド溝１４と、を有し、アライメント部材２１は、コネクタハウジング１１が収容する複数の端子５が貫通可能な複数の貫通孔２２を有し、アライメント部材２１は、複数の貫通孔２２に複数の端子５を貫通させた状態で、スライド溝１４を基板側端子収容部１２側にスライドすることにより、プリント基板に形成された複数の孔に対応して複数の端子５をそれぞれ所定の位置に位置決めする。
【００６５】
また、本発明の実施形態に係るプリント基板用コネクタ１は、アライメント部材２１が基板側端子収容部１２へスライド溝１４をスライドしたときに、基板側端子収容部１２とアライメント部材２１とを係止する係止部（係止孔１６、係止突起部２４）を更に有している。
【００６６】
さらに、本発明の実施形態に係るプリント基板用コネクタ１は、アライメント部材２１が相手側端子収容部１３側に位置するときに、アライメント部材２１の基板側端子収容部１２側への移動を規制する規制部（凹部１７、突部２５）を更に有している。
【００６７】
また、本発明の実施形態に係るプリント基板用コネクタ１は、コネクタハウジング１１は、基板側端子収容部１２と相手側端子収容部１３との間に開口部１５を有し、アライメント部材２１は、アライメント部材２１がスライド溝１４をスライドする間、開口部１５に位置してアライメント部材２１をスライド操作する操作部２３を更に有する。
【００６８】
そして、本発明の実施形態に係るプリント基板用コネクタ１によれば、アライメント部材２１は、複数の貫通孔２２に複数の端子５を貫通させた状態で、基板側端子収容部１２側にスライドすることにより、プリント基板に形成された複数の孔に対応して複数の端子５をそれぞれ所定の位置に位置決めする。このため、コネクタハウジング１１に複数の端子を収容した後にアライメント部材２１の貫通孔２２に複数の端子５を貫通する作業が不要となり、作業工程数を低減することができる。
【００６９】
また、コネクタハウジング１１に複数の端子５を収容した後にアライメント部材２１の貫通孔２２に複数の端子５を貫通する作業が不要となるため、アライメント部材２１が複数の端子５に対して誤って取り付けられることを防止することができる。
【００７０】
従って、複数の端子５を位置決めするための作業工程数の低減を図り、アライメント部材２１が複数の端子５に誤って取み付けられることを防止するプリント基板用コネクタ１を提供することができる。
【００７１】
また、本発明の実施形態に係るプリント基板用コネクタ１によれば、アライメント部材２１が基板側端子収容部１２へスライドしたときに、基板側端子収容部１２とアライメント部材２１とを係止する係止部（係止孔１６、係止突起部２４）を有している。このため、アライメント部材２１が相手側端子収容部１３側に移動することがなく、位置決めされた複数の端子５の位置がずれることを防止することができる。
【００７２】
さらに、本発明の実施形態に係るプリント基板用コネクタ１によれば、アライメント部材２１が相手側端子収容部１３側に位置するときに、アライメント部材２１の基板側端子収容部１２側への移動を規制する規制部（凹部１７、突部２５）を有している。このため、相手側端子収容部１３側から複数の端子５を挿入してアライメント部材２１の貫通孔２２に貫通させる際に、アライメント部材２１が基板側端子収容部１２側へ移動することを規制することができる。
【００７３】
また、本発明の実施形態に係るプリント基板用コネクタ１によれば、アライメント部材２１をスライド操作する操作部２３は、アライメント部材２１がスライド溝１４をスライドする間、コネクタハウジング１１の開口部１５に位置する。このため、操作部２３がコネクタハウジング１１に干渉することなく、操作部２３を操作することにより容易にアライメント部材２１をスライドさせることができる。
【００７４】
以上、本発明のプリント基板用コネクタを図示の実施形態に基づいて説明したが、本発明はこれに限定されるものではなく、各部の構成は、同様の機能を有する任意の構成のものに置き換えることができる。
【００７５】
例えば、本発明の実施形態では、係止部（１６、２４）は、基板側端子収容部１２に形成された係止孔１６とアライメント部材２１に形成された係止突起部２４である場合について説明したが、これに限定されない。
【００７６】
例えば、アライメント部材２１に係止孔が形成され、この係止孔に係止する係止突起が基板側端子収容部に形成されていても良い。また、基板側端子収容部１２又はアライメント部材２１のいずれか一方に係止部が形成されていても良い。
【００７７】
つまり、アライメント部材２１が基板側端子収容部１２へスライド溝１４をスライドしたときに、基板側端子収容部１２とアライメント部材２１とを係止する構成であれば適宜変更が可能である。
【００７８】
また、本発明の実施形態では、規制部（１７、２５）は、相手側端子収容部１３に形成された凹部１７とアライメント部材２１に形成された突部２５である場合について説明したが、これに限定されない。
【００７９】
例えば、アライメント部材２１に凹部が形成され、相手側端子収容部に突部が形成されていても良い。また、相手側端子収容部１３又はアライメント部材２１のいずれか一方に規制部が形成されていても良い。
【００８０】
つまり、アライメント部材２１が相手側端子収容部１３側に位置するときに、アライメント部材２１の基板側端子収容部１２側への移動を規制する構成であれば適宜変更が可能である。
【産業上の利用可能性】
【００８１】
本発明は、プリント基板に形成された複数の孔にそれぞれ挿通される端子を収容するプリント基板用コネクタを提供する上で極めて有用である。
【符号の説明】
【００８２】
１    プリント基板用コネクタ
５    端子
５ａ  基板側端子
５ｂ  相手側端子
１１  コネクタハウジング
１２  基板側端子収容部
１３  相手側端子収容部
１４  スライド溝
１５  開口部
１６  係止孔（係止部）
１７  凹部（規制部）
２１  アライメント部材
２２  貫通孔
２３  操作部
２４  係止突起（係止部）
２５  突部（規制部）
２６  面取り部
【図１】
2013004353.tif 000003
【図２】
2013004353.tif 000004
【図３】
2013004353.tif 000005
【図４】
2013004353.tif 000006
【図５】
2013004353.tif 000007
【図６】
2013004353.tif 000008
【図７】
2013004353.tif 000009